(57)【要約】【課題】  刷版の交換作業における操作性を向上させる。【解決手段】  尻側版万力１５Ａの万力蓋１７Ａは、カム軸１９の小径部１９ａが対接すると万力台１６Ａとの間が開き、大径部１９ｂが対接すると万力台１６Ａとの間が閉じる。万力台１６Ａに版張り用カム軸２２の大径部２２ｂが対接することにより尻側版万力１５Ａは版張り方向に移動する。第１のピン２５は、先端が切欠き２の壁面２ｂに対向するように非貫通孔２６に嵌挿され、底面が非貫通孔２７に回転自在に支持された第２のピン２８の周面に係合している。第２のピン２８の周面の一部には、第１のピン２５の底面が係合する平坦面２８ａ，２８ｂが設けられている。第２のピン２８は上端２８ｃが版胴１の半径方向を指向している。【選択図】  図２
2007112035.tif 000002
【特許請求の範囲】
【請求項１】
版胴に設けられ、前記版胴に装着される刷版の両端部を固定する一対の刷版固定装置と、前記刷版を固定した前記一対の刷版固定装置のうち少なくとも一方の刷版固定装置を移動させることにより、前記刷版を引っ張って前記刷版を前記版胴に密着させる刷版移動手段とを備えた版胴の刷版装着装置において、
前記刷版移動手段による前記刷版が引っ張られる以前の前記一方の刷版固定装置の位置を、前記刷版を引っ張る方向の位置と、前記刷版を弛める方向の位置との間で切り替える切替手段を備えたことを特徴とする版胴の刷版装着装置。
【請求項２】
請求項１記載の版胴の刷版装着装置において、
前記切替手段は、前記一方の刷版固定装置内から進退自在で先端が版胴の切欠きの壁面に係合する第１のピンと、この第１のピンの基端に係合する複数の係合面を周面に有し前記一方の刷版固定装置に回動自在に支持された第２のピンとによって構成されていることを特徴とする版胴の刷版装着装置。
【発明の詳細な説明】
【技術分野】
【０００１】
本発明は、紙の天地方向の見当不良を調整することができる版胴の刷版装着装置に関するものである。
【背景技術】
【０００２】
この種の版胴の刷版装着装置が備えられた印刷機においては、圧胴の爪にくわえられた紙が含有する水分や紙固有の表面の不均一性に起因して、圧胴による加圧により紙の天地方向が伸びるかまたは縮む現象が発生する。この天地方向の見当不良が発生すると、多色刷りにおいては見当が合いにくくなる。したがって、このような天地方向の見当不良による影響を排除するために、例えば、版胴の尻側版万力を版胴の周面方向に移動調節できる構造とし、尻側版万力にくわえた刷版を天地方向に伸ばすかまたは縮めるように調整している。
【０００３】
従来の印刷機の版万力装置は、万力台に進退調整自在に設けられテーパ面を有する第１のピンを設け、この第１のピンのテーパ面と万力台を円周方向に移動させるカム軸との間に第２のピンを介装し、第１のピンを進退させることにより、第２のピンを介して万力台の円周方向の移動量を調整できるものがある（例えば、特許文献１参照）。
【特許文献１】実開平４−５８３３９号公報（公報９頁１９行〜１１頁１行、第５図）
【発明の開示】
【発明が解決しようとする課題】
【０００４】
上述した従来の印刷機の版万力装置においては、第２のピンをカム軸と第１のピンのテーパ面との間に介装する構造であり、かつカム軸が刷版を天地方向に引っ張る機能と刷版をくわえる機能を有している。このため、刷版の交換を行うに当たって万力台とくわえ板との間を開くために第２のピンにカムの小径部を対接させる操作を行っても、万力台とくわえ板との間が充分に開かない場合がある。すなわち、刷版を天地方向に引っ張る調整を行うと、第２のピンがカム軸側に進出しているために、この第２のピンがカムの大径部と同じ作用をしてしまう。したがって、カムの小径部を第２のピンに対接させても、万力台とくわえ板との間が閉じたままの状態となっている場合がある。この場合は、刷版をくわえさせるために、カムの小径部を第２のピンに対接させる操作の他に、一旦第２のピンをカムから後退させる操作が必要になるので操作性が悪いという問題があった。
【０００５】
本発明は上記した従来の問題に鑑みなされたものであり、その目的とするところは、刷版の交換作業における操作性を向上させた印刷機の版万力装置を提供するところにある。
【課題を解決するための手段】
【０００６】
この目的を達成するために、請求項１に係る発明は、版胴に設けられ、前記版胴に装着される刷版の両端部を固定する一対の刷版固定装置と、前記刷版を固定した前記一対の刷版固定装置のうち少なくとも一方の刷版固定装置を移動させることにより、前記刷版を引っ張って前記刷版を前記版胴に密着させる刷版移動手段とを備えた版胴の刷版装着装置において、前記刷版移動手段による刷版が引っ張られる以前の前記一方の刷版固定装置の位置を、前記刷版を引っ張る方向の位置と、前記刷版を弛める方向の位置との間で切り替える切替手段を備えたものである。
【０００７】
請求項２に係る発明は、請求項１に係る発明において、前記切替手段は、前記一方の刷版固定装置内から進退自在で先端が版胴の切欠きの壁面に係合する第１のピンと、この第１のピンの基端に係合する複数の係合面を周面に有し前記一方の刷版固定装置に回動自在に支持された第２のピンとによって構成されている。
【発明の効果】
【０００８】
請求項１に係る発明によれば、刷版が引っ張られる以前に切替手段による見当調整が行われ、見当調整後に刷版を刷版固定装置にくわえることができるから、切替手段による操作の如何にかかわらず、版張り状態を解除することによって刷版固定装置は刷版を挿入できる状態になる。このため、刷版を挿入するために、従来のように切替手段を操作する作業が不要になるから刷版の交換作業における操作性が向上する。また、刷版が引っ張られる以前に切替手段によって一方の刷版固定装置の位置を替えるようにしたため、切替手段による操作に際して刷版を引っ張るために発生する負荷がかからないから操作が容易になる。また、印刷される紙が縦目か横目かに対応して、予め刷版の天地方向の調整を行うことができるため使い勝手が向上する。
【０００９】
請求項２に係る発明によれば、第２のピンをわずかに回動させることにより、見当調整ができるため調整を短時間で容易に行うことができる。
【発明を実施するための最良の形態】
【００１０】
以下、本発明の実施の形態を図に基づいて説明する。図１は本発明に係る版胴の刷版装着装置の左半分を示す平面図、図２（Ａ）は図１におけるII（Ａ）-II（Ａ） 線断面図、同図（Ｂ）、（Ｃ）は同図（Ａ）におけるII（Ｂ）矢視図であって、同図（Ａ）は刷版を引っ張っている状態を示し、同図（Ｂ）、（Ｃ）は刷版を引っ張る以前の状態を示し、同図（Ｂ）は引張り量を大きく調整する場合を示し、同図（Ｃ）は引張り量をさらに大きく調整する場合を示す。
【００１１】
図１において、全体を符号１で示す版胴の外周部には、断面が略長方形状を呈し底面２ａを山形状に形成した切欠き２が、胴の略全長にわたって設けられており、この切欠き２の両端開口は、円板状のベアラ３，３（一方のベアラ３は図示せず）によって閉塞されている。５は版胴１の軸線方向の全体にわたって設けられた刷版固定装置としてのくわえ側版万力であって、断面が略正方形状に形成され版胴１の軸線方向に延在する万力台６と、三つに分割されたくわえ板７とによって構成されている。
【００１２】
この万力台６は、図示しない調節装置により切欠き２の底面に沿って版胴１の円周方向（矢印Ａ−Ｂ方向）へ移動調節できるように構成されている。８は左右のベアラ３，３と万力台６との間に介装された調節ねじであって、ベアラ３，３と万力台６のねじ孔に両端のねじ部が螺合されている。この調節ねじ８の周面に設けた孔にスパナを挿入して回動操作することにより、万力台６の位置を版胴１の軸線方向に微調節できる。
【００１３】
三つに分割されたくわえ板７は、平面視矩形状で全長が万力台６と略同長に形成されており、各くわえ板７は、支持ブロック９に設けられた水平方向に突出するピン９ａによって揺動自在に支持されている。各くわえ板７は、カム軸１０を図示を省略した駆動装置によって回動することにより、カム軸１０のカム部の作用で、各くわえ板７が揺動して万力台６のくわえ面６ａに対してくわえ板７のくわえ面７ａが開閉するように構成されている。
【００１４】
次に、図１および図２を用いて、刷版固定装置としての三つの尻側版万力１５Ａないし１５Ｃについて説明する。これら尻側版万力１５Ａないし１５Ｃのうち、中央の尻側版万力１５Ｂは版胴１に対して版胴１の軸線方向の移動が規制された状態で設けられ、左右の尻側版万力１５Ａ，１５Ｃは版胴１の軸線方向に移動自在に設けられている。したがって、上記以外の構造はいずれも左右対称であって同一の構造を有しているので、ここでは尻側版万力１５Ａについてのみ説明し、必要に応じて他の尻側版万力１５Ｂ，１５Ｃについても説明する。
【００１５】
図１および図２において、尻側版万力１５Ａはくわえ側版万力５と平行に切欠き２内に設けられており、断面が略長方形状に形成され版胴１の軸線方向に延在する万力台１６Ａと、二つの万力蓋１７Ａ，１７Ａとによって構成されている。また、この尻側版万力１５Ａは、万力台１６Ａに取り付けられたカム軸ホルダー１８Ａを備えており、このカム軸ホルダー１８Ａの貫通孔１８ａには、棒状に形成された版くわえ用カム軸１９が回動自在に支持されている。この版くわえ用カム軸１９の周面には、平面状に形成された小径部１９ａと円弧状に形成された大径部１９ｂとが設けられている。
【００１６】
上記した万力台１６Ａと万力蓋１７Ａとは、切欠き２の円周方向に延在するくわえ面１６ａ，１７ａを互いに対向させて、これらくわえ面１６ａ，１７ａが離間・接近するように、支持軸２０を揺動支点として連結されている。これら万力台１６Ａと万力蓋１７Ａとの間には、互いにくわえ面１６ａ，１７ａとを離間させる方向に付勢する圧縮コイルばね（図示せず）が弾装されている。また、万力台１６Ａと万力蓋１７Ａとは切欠き２の円周方向（矢印Ａ−Ｂ方向）へわずかに移動調整できるように構成されている。
【００１７】
万力台１６Ａとベアラ３との間および万力台１６Ｃとベアラ３との間には、図１に示すように調節ねじ２１，２１（一方の調節ねじ２１は図示を省略）が介装されており、この調節ねじ２１はベアラ３，３と万力台１６Ａ，１６Ｂのねじ孔に両端のねじ部が螺合されている。この調節ねじ２１の周面に設けた孔にスパナを挿入して回動操作することにより、万力台１６Ａ，１６Ｃの位置が版胴１の軸線方向に移動させることにより、刷版の幅方向の見当を調整することができる。
【００１８】
切欠き２の壁面２ｂに形成された凹部２ｃ内には、図２に示すように平面状に形成された小径部２２ａと円弧状に形成された大径部２２ｂとで棒状に形成された版張り用カム軸２２が版胴１に回動自在に支持されている。２３は尻側版万力１５の脱落を規制するガイドであって、切欠き２の壁面２ａの凹部２ｃに固定されている。
【００１９】
２５は万力台１６Ａの端面に形成された非貫通孔２６に嵌挿された第１のピンであって、切欠き２の円周方向（矢印Ａ−Ｂ方向）に延在し、先端が非貫通孔２６から突出した状態で切欠き２の壁面２ｂに対向している。この第１のピン２５は、図１に示すように、各万力台１６Ａないし１６Ｃに２個ずつ設けられており、版胴１全体で６個設けられている。２７は非貫通孔２６に連通するように万力台１６Ａの上面に形成された非貫通孔であって、この非貫通孔２７内には第２のピン２８が回転自在に支持されている。
【００２０】
この第２のピン２８の周面の一部には、係合面としての二つの平坦面２８ａ，２８ｂが形成されており、これら平坦面２８ａ，２８ｂは第１のピン２５の底面が係合する位置に設けられている。これら平坦面２８ａ，２８ｂは、互いに９０°位相をずらして隣接し、第２のピン２８の周面からの一方の平坦面２８ａの深さが他方の平坦面２８ｂより深く形成されている。この第２のピン２８の上端２８ｃには、ドライバーの先端部を係入することができる十字溝が形成されており、この上端２８ｃは版胴１の半径方向を指向している。２９は第２のピン２８の回動を規制するボールプランジャーであって、先端が第２のピン２８の周面に圧接されている。
【００２１】
次に、このように構成された版胴の刷版装着装置において、刷版を天地方向に見当調整する方法について説明する。先ず、印刷する紙が横目の場合における刷版を天地方向に伸ばす見当調整について説明する。予め、版くわえ用カム軸１９の小径部１９ａを万力蓋１７Ａに対向させた状態とし、万力台１６Ａと万力蓋１７Ａとの各くわえ面１６ａ，１７ａ間に刷版を挿入するための隙間を形成する。また、版張り用カム軸２２の小径部２２ａを万力台１６Ａに対向させた状態とし、万力台１６Ａを版張り方向とは反対方向（矢印Ｂ方向）に移動させ、刷版を版胴１に装着する以前の状態とする。
【００２２】
この状態で、万力台１６Ａの非貫通孔２７にドライバーを差し入れ、先端部を第２のピン２８の上端２８ｃの十字溝に係入し、第２のピン２８を回動させることにより、図２（Ｂ）に示すように一方の平坦面２８ｂを第１のピン２５の底面に対接させる。したがって、第１のピン２５の非貫通孔２６からの突出量Ｌは相対的に大きくなり、第１のピン２５の先端が切欠き２の壁面２ｂに係合することにより、万力台１６Ａの端面１６ｂと切欠き２の壁面２ｂとの間隔が長さＬに設定される。
【００２３】
この状態としてから、刷版を版胴１に装着する。すなわち、くわえ側版万力５の万力台６およびくわえ板７の各くわえ面６ａ，７ａとの間に刷版のくわえ側端部を挿入し、図示を省略した駆動装置によってカム軸１０を回動させることにより、万力台６のくわえ面６ａに対してくわえ板７のくわえ面７ａを閉じ刷版のくわえ側端部をくわえる。次いで、版胴を略１回転させ、刷版の尻側端部を尻側版万力１５Ａないし１５Ｃの万力台１６Ａないし１６Ｃおよびくわえ板１７Ａないし１７Ｃの各くわえ面１６ａ，１７ａとの間に刷版の尻側端部を挿入する。
【００２４】
そして、図示を省略した駆動装置によって版くわえ用カム軸１９を回動させることにより、万力蓋１７Ａが支持軸２０を回動中心として図中反時計方向に回動し、万力台１６Ａのくわえ面１６ａに対して万力蓋１７Ａのくわえ面１７ａが閉じられ刷版の尻側端部がくわえられる。このとき、万力台１６Ａの端面１６ｂと切欠き２の壁面２ｂとの間隔Ｌが相対的に大きく設定されていることにより、これら万力台１６Ａおよび万力蓋１７Ａの各くわえ面１６ａ，１７ａ間にくわえられる刷版のくわえ量が相対的に少ない。
【００２５】
この状態で図示を省略した駆動装置によって版張り用カム軸２２を回動させ、大径部２２ｂを万力台１６Ａの端面１６ｂに対接させることにより、刷版の尻側端部をくわえたまま万力台１６Ａと万力蓋１７Ａとが矢印Ａ方向に距離ｌだけ移動し、刷版が天地方向に引っ張られ緊張した状態で版胴１の周面に装着される。この場合、万力台１６Ａおよび万力蓋１７Ａの各くわえ面１６ａ，１７ａにくわえられる刷版のくわえ量が相対的に少ないことにより、刷版は引張り方向への弾性変形量が横目の紙に対応して天地方向が伸ばされる見当調整が行われる。
【００２６】
一方、縦目の紙に対応して刷版を天地方向に伸ばす見当調整が必要になった場合は、刷版を版胴１に装着する以前に、予め第２のピン２８を回動させて、図２（Ｃ）に示すように他方の平坦面２８ａを第１のピン２５の底面に対接させる。したがって、第１のピン２５の非貫通孔２６からの突出量Ｍが突出量Ｌよりも少なくなり、この第１のピン２５の先端が切欠き２の壁面２ｂに係合することにより、万力台１６Ａの端面１６ｂと切欠き２の壁面２ｂとの間隔が長さＭ（Ｍ＜Ｌ）に設定される。
【００２７】
この状態としてから、上述した刷版を天地方向に伸ばす見当調整を行った場合と同じ操作によって、刷版のくわえ側端部をくわえ側版万力５にくわえ、刷版の尻側端部を尻側版万力１５Ａにくわえさせる。このとき、上述した刷版を天地方向に伸ばす見当調整と比較して、万力台１６Ａの端面１６ｂと切欠き２の壁面２ｂとの間隔Ｍが相対的に少ないことにより、これら万力台１６Ａおよび万力蓋１７Ａのくわえ面１６ａ，１７ａにくわえられる刷版のくわえ量が増大する。
【００２８】
この状態で図示を省略した駆動装置によって版張り用カム軸２２を回動させ、大径部２２ｂを万力台１６Ａの端面１６ｂに対接させることにより、刷版の尻側端部をくわえたまま万力台１６Ａと万力蓋１７Ａとを矢印Ａ方向に距離ｌだけ移動させて、刷版を天地方向に引っ張り緊張した状態で版胴１の周面に装着する。この場合、万力台１６Ａおよび万力蓋１７Ａのくわえ面１６ａ，１７ａにくわえられる刷版のくわえ量が増大していることにより、刷版は引張り方向への弾性変形量が縦目の紙に対応するように、天地方向により引っ張られる見当調整が行われる。
【００２９】
この見当調整は、第２のピン２８の上端２８ｂが版胴１の半径方向を指向しているため、ドライバーの先端部を十字溝へ係入する作業が版胴１の外径方向から行えるから作業が容易である。また、この見当調整は、第２のピン２８をわずかに回動させるだけでよいから、調整が容易かつ短時間で行うことができる。また、この見当調整は、刷版が引っ張られる以前に行われるため、見当調整の操作に際して刷版を引っ張られるために発生する負荷がかからないから操作が容易である。また、印刷される紙が縦目か横目かに対応して、予め刷版の天地方向の調整を行うことができるため使い勝手が向上する。
【００３０】
次に、このように版胴１に見当調整された状態で装着された刷版を交換する場合について説明する。この場合は、刷版の天地方向の見当調整を行った第２のピン２８を操作することなく、図示を省略した駆動装置を駆動させることにより、版張り用カム軸２２を回動させ、小径部２２ａを万力台１６Ａに対接させて刷版の版張り状態を解除する。次いで、図示を省略した駆動装置を駆動させることにより、カム軸１９を回動させて小径部１９ａを万力蓋１７Ａに対接させ、万力台１６Ａと万力蓋１７Ａとの各くわえ面１６ａ，１７ａの間を開く。
【００３１】
このように、刷版の版張り状態を解除すれば、第２のピン２８の回動位置に関係なく、万力台１６Ａと万力蓋１７Ａとの各くわえ面１６ａ，１７ａとの間に、刷版を挿入できる隙間が形成される状態となる。このため、第２のピン２８を何ら操作することなく、万力台１６Ａのくわえ面１６ａと万力蓋１７Ａとのくわえ面１７ａとの間から刷版の尻側端部を取り外したり、挿入する作業を行うことができるから刷版の交換作業に当たっての操作性が向上する。
【００３２】
なお、本実施の形態においては、尻側版万力１５Ａに版張り用カム軸２２の他に版くわえ用カム軸１９を備えた例を説明したが、版張り用カム軸２２が版張り機能と版くわえ機能を併せもつ版胴の刷版装着装置に本発明の見当調整装置を適用することも可能である。その場合も、版張り用カム軸２２を操作するだけで、第２のピン２８を何ら操作することなく、万力台１６Ａと万力蓋１７Ａとの各くわえ面１６ａ，１７ａとの間に、版張りのために万力台１６Ａを移動させた距離ｌに相当する隙間を形成することができるから、刷版の交換作業における操作性を向上させることができる。
【図面の簡単な説明】
【００３３】
【図１】本発明に係る版胴の刷版装着装置の左半分を示す平面図である。
【図２】同図（Ａ）は図１におけるII（Ａ）-II（Ａ） 線断面図、同図（Ｂ）、（Ｃ）は同図（Ａ）におけるII（Ｂ）矢視図である。
【符号の説明】
【００３４】
１…版胴、２…切欠き、２ｂ…壁面、５…くわえ側版万力（刷版固定装置）、１５Ａないし１５Ｃ…尻側版万力（刷版固定装置）、１６Ａないし１６Ｃ…万力台、１７Ａないし１７Ｃ…万力蓋、２２…版張り用カム軸、２５…第１のピン、２８…第２のピン、２８ａ，２８ｂ…平坦面（係合面）。
【図１】
2007112035.tif 000003
【図２】
2007112035.tif 000004